(57)【要約】【課題】ユーザ端末に保存されている再プリント用の撮影画像データを他端末へ移行できるようにする。【解決手段】サーバ１は、印画物作製装置１から撮影画像データを受信すると、識別コードを生成し、前記識別コードを印画物作製装置１へ送信し、撮影画像データと識別コードとを対応付けて第１記憶部に保存する。サーバ１は、ユーザ端末３Ａから識別コードを受信すると、ユーザ端末３Ａへ撮影画像データを送信する。サーバ１は、ユーザ端末３Ａからデータ移行要求と共に撮影画像データを受信すると、撮影画像データに対応するパスワードを生成し、パスワードをユーザ端末３Ａへ送信し、撮影画像データとパスワードとを対応付けて第３記憶部に保存する。サーバ１は、ユーザ端末３Ｂからパスワードを受信すると、ユーザ端末３Ｂへ撮影画像データを送信する。【選択図】図１
2018196022.tif 000002
【特許請求の範囲】
【請求項１】
利用者を撮影し、撮影画像を印画した印画物を作製する印画物作製装置と通信可能に接続されたサーバであって、
第１印画物作製装置から撮影画像データを受信すると、前記撮影画像データに対応する識別コードを生成し、前記識別コードを前記第１印画物作製装置へ送信し、
前記撮影画像データと前記識別コードとを対応付けて第１記憶部に保存し、
第１ユーザ端末から前記識別コードを受信すると、前記第１ユーザ端末へ前記撮影画像データを送信し、
前記第１ユーザ端末から再プリント要求と共に前記撮影画像データを受信すると、前記撮影画像データに対応する再プリント用コードを生成し、前記再プリント用コードを前記第１ユーザ端末へ送信し、
前記撮影画像データと前記再プリント用コードとを対応付けて第２記憶部に保存し、
第２印画物作製装置から前記再プリント用コードを受信すると、前記第２印画物作製装置へ前記撮影画像データを送信し、
前記第１ユーザ端末からデータ移行要求と共に前記撮影画像データを受信すると、前記撮影画像データに対応するパスワードを生成し、前記パスワードを前記第１ユーザ端末へ送信し、
前記撮影画像データと前記パスワードとを対応付けて第３記憶部に保存し、
第２ユーザ端末から前記パスワードを受信すると、前記第２ユーザ端末へ前記撮影画像データを送信することを特徴とするサーバ。
【請求項２】
前記撮影画像データを前記第１ユーザ端末へ送信した後、又は前記撮影画像データを前記第１記憶部に保存してから所定時間経過後に、前記第１記憶部から前記撮影画像データを消去することを特徴とする請求項１に記載のサーバ。
【請求項３】
前記撮影画像データを前記第２印画物作製装置へ送信した後、又は前記撮影画像データを前記第２記憶部に保存してから所定時間経過後に、前記第２記憶部から前記撮影画像データを消去することを特徴とする請求項１又は２に記載のサーバ。
【請求項４】
前記撮影画像データを前記第２ユーザ端末へ送信した後、又は前記撮影画像データを前記第３記憶部に保存してから所定時間経過後に、前記第３記憶部から前記撮影画像データを消去することを特徴とする請求項１乃至３のいずれかに記載のサーバ。
【請求項５】
第１印画物作製装置が利用者を撮影し、撮影画像データを生成し、前記撮影画像データをサーバへ送信する工程と、
前記サーバが、前記撮影画像データに対応する識別コードを生成し、前記識別コードを前記第１印画物作製装置へ送信し、前記撮影画像データと前記識別コードとを対応付けて第１記憶部に保存する工程と、
第１ユーザ端末が、前記識別コードを前記サーバへ送信する工程と、
前記サーバが、第１ユーザ端末から前記識別コードを受信し、前記撮影画像データを前記第１ユーザ端末へ送信する工程と、
前記第１ユーザ端末が前記撮影画像データを保存する工程と、
前記第１ユーザ端末が再プリント要求と共に前記撮影画像データを前記サーバへ送信する工程と、
前記サーバが、前記再プリント要求及び前記撮影画像データを受信し、再プリント用コードを生成し、前記再プリント用コードを前記第１ユーザ端末へ送信し、前記撮影画像データと前記再プリント用コードとを対応付けて第２記憶部に保存する工程と、
第２印画物作製装置が、入力された前記再プリント用コードを前記サーバへ送信する工程と、
前記サーバが、前記再プリント用コードを受信し、前記撮影画像データを前記第２印画物作製装置へ送信する工程と、
前記第１ユーザ端末が、データ移行要求と共に前記撮影画像データを前記サーバへ送信する工程と、
前記サーバが、前記データ移行要求及び前記撮影画像データを受信し、パスワードを生成し、前記パスワードを前記第１ユーザ端末へ送信し、前記撮影画像データと前記パスワードとを対応付けて第３記憶部に保存する工程と、
第２ユーザ端末が、入力された前記パスワードを前記サーバへ送信する工程と、
前記サーバが、前記パスワードを受信し、前記撮影画像データを前記第２ユーザ端末へ送信する工程と、
を備えるデータ転送方法。
【請求項６】
利用者を撮影し、撮影画像を印画した印画物を作製する印画物作製装置と、
前記印画物作製装置と通信可能に接続された請求項１乃至４のいずれかに記載されたサーバと、
を備え、
前記印画物作製装置は、
前記撮影画像データと、前記サーバから受信した識別コードを用いて第１印画物を作製し、
入力された再プリント用コードを前記サーバへ送信し、前記サーバから前記再プリント用コードに対応する撮影画像データを受信し、受信した撮影画像データを用いて第２印画物を作製することを特徴とする印画物作製システム。
【発明の詳細な説明】
【技術分野】
【０００１】
本発明は、サーバ、データ転送方法、及び印画物作製システムに関する。
【背景技術】
【０００２】
従来、免許証、パスポート、履歴書等に貼付するための証明写真を撮影するためのボックス型の証明写真撮影装置が知られている。証明写真撮影装置は、人物を撮影し、用途に応じた様々なサイズの写真をプリントして出力する。
【０００３】
近年、デジタルカメラの発展および普及により、撮影により得られた被写体画像の電子情報が容易に利用可能となっている。ボックス型の証明写真撮影装置においても、このような被写体画像の電子情報を利用して焼増しプリントするというサービスが提案されている。
【０００４】
例えば、利用者を撮影した撮影画像データに暗号化処理を施し、利用者が所有する携帯端末へ撮影画像データを送信する証明写真撮影装置が提案されている（特許文献１参照）。焼増しを行う場合、利用者は、携帯端末から証明写真撮影装置へ撮影画像データを転送する。証明写真撮影装置は、携帯端末から受信した撮影画像データを復号し、プリント出力する。撮影画像データは、利用者の携帯端末に永続的に保存することができ、いつでも焼増しすることができる。
【０００５】
一般に、証明写真撮影装置から携帯端末へ転送される撮影画像データは、コピーや編集等ができないようにデータ処理されており、携帯端末にインストールされている専用アプリケーションプログラムを実行することで、閲覧のみ行うことができる。そのため、携帯端末を買い替えた場合に、古い携帯端末から新しい携帯端末へデータを移行できず、利用者の利便性を低下させることがあった。
【先行技術文献】
【特許文献】
【０００６】
【特許文献１】特開２０１５−８３６４号公報
【発明の概要】
【発明が解決しようとする課題】
【０００７】
本発明は、上記の問題点を鑑みてなされたものであり、ユーザ端末に保存されている再プリント用の撮影画像データを他端末へ移行できるようにするサーバ、データ転送方法、及び印画物作製システムを提供することを課題とする。
【課題を解決するための手段】
【０００８】
本発明によるサーバは、利用者を撮影し、撮影画像を印画した印画物を作製する印画物作製装置と通信可能に接続されたサーバであって、第１印画物作製装置から撮影画像データを受信すると、前記撮影画像データに対応する識別コードを生成し、前記識別コードを前記第１印画物作製装置へ送信し、前記撮影画像データと前記識別コードとを対応付けて第１記憶部に保存し、第１ユーザ端末から前記識別コードを受信すると、前記第１ユーザ端末へ前記撮影画像データを送信し、前記第１ユーザ端末から再プリント要求と共に前記撮影画像データを受信すると、前記撮影画像データに対応する再プリント用コードを生成し、前記再プリント用コードを前記第１ユーザ端末へ送信し、前記撮影画像データと前記再プリント用コードとを対応付けて第２記憶部に保存し、第２印画物作製装置から前記再プリント用コードを受信すると、前記第２印画物作製装置へ前記撮影画像データを送信し、前記第１ユーザ端末からデータ移行要求と共に前記撮影画像データを受信すると、前記撮影画像データに対応するパスワードを生成し、前記パスワードを前記第１ユーザ端末へ送信し、前記撮影画像データと前記パスワードとを対応付けて第３記憶部に保存し、第２ユーザ端末から前記パスワードを受信すると、前記第２ユーザ端末へ前記撮影画像データを送信するものである。
【０００９】
本発明の一態様によるサーバは、前記撮影画像データを前記第１ユーザ端末へ送信した後、又は前記撮影画像データを前記第１記憶部に保存してから所定時間経過後に、前記第１記憶部から前記撮影画像データを消去する。
【００１０】
本発明の一態様によるサーバは、前記撮影画像データを前記第２印画物作製装置へ送信した後、又は前記撮影画像データを前記第２記憶部に保存してから所定時間経過後に、前記第２記憶部から前記撮影画像データを消去する。
【００１１】
本発明の一態様によるサーバは、前記撮影画像データを前記第２ユーザ端末へ送信した後、又は前記撮影画像データを前記第３記憶部に保存してから所定時間経過後に、前記第３記憶部から前記撮影画像データを消去する。
【００１２】
本発明によるデータ転送方法は、第１印画物作製装置が利用者を撮影し、撮影画像データを生成し、前記撮影画像データをサーバへ送信する工程と、前記サーバが、前記撮影画像データに対応する識別コードを生成し、前記識別コードを前記第１印画物作製装置へ送信し、前記撮影画像データと前記識別コードとを対応付けて第１記憶部に保存する工程と、第１ユーザ端末が、前記識別コードを前記サーバへ送信する工程と、前記サーバが、第１ユーザ端末から前記識別コードを受信し、前記撮影画像データを前記第１ユーザ端末へ送信する工程と、前記第１ユーザ端末が前記撮影画像データを保存する工程と、前記第１ユーザ端末が再プリント要求と共に前記撮影画像データを前記サーバへ送信する工程と、前記サーバが、前記再プリント要求及び前記撮影画像データを受信し、再プリント用コードを生成し、前記再プリント用コードを前記第１ユーザ端末へ送信し、前記撮影画像データと前記再プリント用コードとを対応付けて第２記憶部に保存する工程と、第２印画物作製装置が、入力された前記再プリント用コードを前記サーバへ送信する工程と、前記サーバが、前記再プリント用コードを受信し、前記撮影画像データを前記第２印画物作製装置へ送信する工程と、前記第１ユーザ端末が、データ移行要求と共に前記撮影画像データを前記サーバへ送信する工程と、前記サーバが、前記データ移行要求及び前記撮影画像データを受信し、パスワードを生成し、前記パスワードを前記第１ユーザ端末へ送信し、前記撮影画像データと前記パスワードとを対応付けて第３記憶部に保存する工程と、第２ユーザ端末が、入力された前記パスワードを前記サーバへ送信する工程と、前記サーバが、前記パスワードを受信し、前記撮影画像データを前記第２ユーザ端末へ送信する工程と、を備えるものである。
【００１３】
本発明による印画物作製システムは、利用者を撮影し、撮影画像を印画した印画物を作製する印画物作製装置と、前記印画物作製装置と通信可能に接続された上記サーバと、を備え、前記印画物作製装置は、前記撮影画像データと、前記サーバから受信した識別コードを用いて第１印画物を作製し、入力された再プリント用コードを前記サーバへ送信し、前記サーバから前記再プリント用コードに対応する撮影画像データを受信し、受信した撮影画像データを用いて第２印画物を作製するものである。
【発明の効果】
【００１４】
本発明によれば、ユーザ端末に保存している再プリント用の撮影画像データを他のユーザ端末へ移行でき、利用者の利便性を向上させることができる。
【図面の簡単な説明】
【００１５】
【図１】本発明の実施形態に係る印画物作製システムの構成例を示す図である。
【図２】印画物の例を示す図である。
【図３】印画物作製装置の概略構成図である。
【図４】演算制御装置のハードウェア構成図である。
【図５】制御プログラムの実行により実現される機能ブロック図である。
【図６】サーバの概略構成図である。
【図７】同実施形態に係る印画物作製方法を説明するシーケンス図である。
【図８】同実施形態に係るデータ転送方法を説明するシーケンス図である。
【発明を実施するための形態】
【００１６】
図１は実施形態に係る印画物作製システムの構成図である。図１に示すように、印画物作製システムは、印画物作製装置１と、サーバ２とを備える。印画物作製装置１とサーバ２とはインターネット等のネットワークを介して通信可能に接続されている。印画物作製装置１は、複数台設けられていてもよい。
【００１７】
印画物作製装置１は、利用者を撮影し、免許証、パスポート、履歴書等の用途に応じたサイズの画像を印画物（印画紙）にプリントして出力する。印画物作製装置１は撮影画像データをサーバ２へ送信する。サーバ２は、撮影画像データを受信すると、識別コードを生成し、撮影画像データと識別コードとを対応付けて保存すると共に、識別コードを印画物作製装置１に通知する。
【００１８】
印画物作製装置１は、利用者を撮影した撮影画像と共に、サーバ２から通知された識別コードを印画した印画物を作製する。図２に、印画物作製装置１により作製される印画物４の一例を示す。図２に示すように、利用者を撮影した撮影画像４１が、証明写真の用途に応じたサイズでプリントされる。また、サーバ２から通知された識別コードを示す二次元コード４２がプリントされる。
【００１９】
利用者は、スマートフォンやタブレット端末等のユーザ端末３（３Ａ，３Ｂ）を所有している。ユーザ端末３には、サーバ２と通信し、画像データの送受信を行うと共に、受信した画像データの閲覧を可能にするアプリケーションプログラムがインストールされている。ユーザ端末３は、このアプリケーションプログラムを実行し、内蔵のカメラを用いて、印画物４の二次元コード４２を読み取って識別コードを取得すると、取得した識別コードをサーバ２に通知し、撮影画像データを要求する。
【００２０】
サーバ２は、ユーザ端末３から撮影画像データの要求を受け付けると、ユーザ端末３から通知された識別コードに対応する撮影画像データをユーザ端末３へ送信する。ユーザ端末３は、サーバ２から撮影画像データを受信（ダウンロード）し、保存する。サーバ２は、ユーザ端末３へのデータ送信に伴い、又は一定期間（例えば１週間）経過後に、撮影画像データを消去する。
【００２１】
利用者は、印画物作製装置１で撮影した画像の再プリント（焼き増し）を行う場合、ユーザ端末３でアプリケーションプログラムを実行し、保存している撮影画像データをサーバ２に送信（アップロード）する。サーバ２は、ユーザ端末３から再プリント用の撮影画像データを受信すると、再プリント用コードを生成し、撮影画像データと再プリント用コードとを対応付けて保存すると共に、再プリント用コードをユーザ端末３に通知する。
【００２２】
利用者は、印画物作製装置１に再プリント用コードを入力する。印画物作製装置１は、入力された再プリント用コードをサーバ２に通知する。
【００２３】
サーバ２は、印画物作製装置１から通知された再プリント用コードに対応する撮影画像データを印画物作製装置１へ送信する。印画物作製装置１は、サーバ２から撮影画像データを受信（ダウンロード）し、証明写真の用途に応じたサイズで再プリントする。サーバ２は、印画物作製装置１へのデータ送信に伴い、又は一定期間（例えば２４時間）経過後に、撮影画像データを消去する。
【００２４】
印画物作製装置１とユーザ端末３との間で、Ｗｉ−Ｆｉ（登録商標）等の無線通信により撮影画像データの授受を直接行う場合、電波干渉を受けて通信が不安定になり、スムーズにデータ転送できないおそれがある。また、ユーザ端末３の機種は様々であり、印画物作製装置１と通信を行う際に、サービス提供者が予想し得ない不具合が発生するおそれがある。
【００２５】
一方、本実施形態では、印画物作製装置１とユーザ端末３との間でのデータ転送は不要であり、印画物作製装置１とサーバ２との間、及びサーバ２とユーザ端末３との間で、安定した通信環境においてデータの送受信をスムーズに行うことができる。
【００２６】
また、撮影画像データの最終的な保存先を利用者が所有するユーザ端末３とするため、サーバ２でのデータ保存期間が短くてよく、サーバの容量増大を抑えると共に、管理コストを抑えることができる。
【００２７】
さらに、本実施形態による印画物作製システムでは、ユーザ端末３Ａに保存されている撮影画像データを、他のユーザ端末３Ｂへ移行することが可能になっている。ユーザ端末３Ａは、データ移行要求と共に、移行したい撮影画像データをサーバ２に送信（アップロード）する。
【００２８】
サーバ２は、ユーザ端末３Ａからデータ移行させたい撮影画像データを受信すると、データ移行用のパスワードを生成し、撮影画像データとパスワードとを対応付けて保存すると共に、パスワードをユーザ端末３Ａに通知する。
【００２９】
利用者は、ユーザ端末３Ｂにパスワードを入力する。ユーザ端末３Ｂは、入力されたパスワードをサーバ２に通知し、移行データを要求する。
【００３０】
サーバ２は、ユーザ端末３Ｂから移行データの要求を受け付けると、ユーザ端末３Ｂから通知されたパスワードに対応する撮影画像データをユーザ端末３Ｂへ送信する。このようにして、ユーザ端末３Ａに保存されている撮影画像データが、サーバ２を介して、ユーザ端末３Ｂへ移行される。例えば、利用者が携帯端末を買い替えた場合に、古いユーザ端末３Ａから新しいユーザ端末３Ｂへ撮影画像データを移行でき、利用者の利便性を向上させることができる。
【００３１】
図３は、印画物作製装置１の概略構成を示す。印画物作製装置１は、演算制御装置１０と、利用者Ｐを撮影し、撮影画像データを生成する撮影装置１１と、印画物（写真）をプリントするプリンタ１３と、撮影装置１１が利用者Ｐを撮影する際に利用者Ｐに光を照射するストロボ１４と、サーバ２との通信を行う通信部１５とを備える。また、印画物作製装置１は、利用者Ｐから各種入力を受け付けたり、プレビュー画像を表示したりするタッチパネル１２を備えている。さらに、印画物作製装置１には、利用者Ｐが印画物の代金として支払う貨幣を受け入れたり、釣銭を払い出したりする課金部（図示せず）が設けられている。
【００３２】
撮影装置１１は、例えばデジタルカメラであり、レンズ、シャッタ、ＣＭＯＳセンサ、Ａ／Ｄ変換器等を有する。撮影装置１１が利用者Ｐを撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、撮影画像データを生成する。撮影装置１１は、撮影画像データを演算制御装置１０へ出力する。
【００３３】
タッチパネル１２は、操作ボタンを表示し、操作ボタンが押されると、その操作ボタンに対応した操作指示を受け付ける。例えば、タッチパネル１２は、証明写真の用途を表示し、利用者Ｐから用途の選択指示を受け付ける。また、タッチパネル１２は、利用者Ｐから再プリント用コードの入力を受け付ける。
【００３４】
演算制御装置１０は、撮影装置１１、タッチパネル１２、プリンタ１３、ストロボ１４、通信部１５、及び課金部に接続されており、各部の制御やデータの受け渡しを行う。
【００３５】
図４に、演算制御装置１０のハードウェア構成を示す。演算制御装置１０は、ＣＰＵ（中央演算処理部）１６、メインメモリ１７、ディスク装置１８、及び入出力部１９を有する。演算制御装置１０の各部はバスを介して接続されている。
【００３６】
ディスク装置１８は、ＣＰＵ１６により実行される制御プログラムを格納する。ディスク装置１８は例えばハードディスクドライブである。なお、制御プログラムは、ディスク装置１８でなく、ＲＯＭや磁気テープ（共に図示せず）に格納されていてもよい。
【００３７】
ＣＰＵ１６は、ディスク装置１８内の制御プログラムをメインメモリ１７にロードして、制御プログラムを実行する。ＣＰＵ１６が制御プログラムを実行することで、図５に示すように、画像処理部１０１、通信処理部１０２、プリント処理部１０３、及びコード入力処理部１０４が実現される。
【００３８】
画像処理部１０１は、撮影画像をタッチパネル１２でのプレビュー表示に対応したサイズに縮小し、プレビュー用画像を生成する。利用者Ｐは、タッチパネル１２で撮影画像を確認することができる。
【００３９】
画像処理部１０１は、サーバ２から受信した識別コードを二次元コードに変換する。画像処理部１０１は、撮影画像を証明写真の用途に応じたサイズに縮小し、二次元コードを加えたプリント用画像を生成する。再プリントの場合、画像処理部１０１は、サーバ２から受信した撮影画像を証明写真の用途に応じたサイズに縮小し、プリント用画像を生成する。再プリントでは、二次元コードは省略される。
【００４０】
通信処理部１０２は、通信部１５を用いて、サーバ２との通信を行う。通信処理部１０２は、撮影装置１１から受け取った撮影画像データをサーバ２へ送信し、サーバ２から識別コードを受信する。また、通信処理部１０２は、タッチパネル１２を介して入力された再プリント用コードをサーバ２へ送信し、サーバ２から撮影画像データを受信する。
【００４１】
プリント処理部１０３は、画像処理部１０１で生成されたプリント用画像を、入出力部１９を介してプリンタ１３へ転送し、プリント出力させる。プリンタ１３は、プリント用画像を用紙に印画して出力する。プリンタ１３のプリント方式は特に限定されず、インクジェット方式、昇華型熱転写方式、溶融型熱転写方式等を用いることができる。
【００４２】
コード入力処理部１０４は、利用者Ｐがタッチパネル１２を操作して再プリント（焼き増し）モードを選択すると、再プリント用コード入力画面を生成し、タッチパネル１２に表示する。コード入力処理部１０４は、利用者Ｐが再プリント用コード入力画面で入力した再プリント用コードを取得する。
【００４３】
図６はサーバ２の構成図である。サーバ２は、識別コード生成部２１、再プリント用コード生成部２２、パスワード生成部２３、通信処理部２４、画像検索部２５、第１記憶部２６、第２記憶部２７、及び第３記憶部２８を備える。識別コード生成部２１、再プリント用コード生成部２２、パスワード生成部２３、通信処理部２４、及び画像検索部２５の機能は、ハードウェアで構成してもよく、ソフトウェアで構成してもよい。ソフトウェアで構成する場合には、少なくとも一部の機能を実現するプログラムをＣＤ−ＲＯＭ等の記録媒体に収納し、電気回路を有するコンピュータに読み込ませて実行させてもよい。
【００４４】
通信処理部２４は、印画物作製装置１や、ユーザ端末３（３Ａ，３Ｂ）との通信を行う。
【００４５】
識別コード生成部２１は、通信処理部２４が印画物作製装置１から撮影画像データを受信すると、この撮影画像データを一意に識別する識別コードを生成する。生成された識別コードは、通信処理部２４により、印画物作製装置１へ送信される。
【００４６】
第１記憶部２６は、印画物作製装置１から受信した撮影画像データと、識別コード生成部２１が生成した識別コードとを対応付けて保存する。
【００４７】
再プリント用コード生成部２２は、通信処理部２４がユーザ端末３から再プリント用の撮影画像データを受信すると、この撮影画像データを一意に識別する再プリント用コードを生成する。生成された再プリント用コードは、通信処理部２４により、ユーザ端末３へ送信される。
【００４８】
第２記憶部２７は、ユーザ端末３から受信した再プリント用の撮影画像データと、再プリント用コード生成部２２が生成した再プリント用コードとを対応付けて保存する。
【００４９】
パスワード生成部２３は、通信処理部２４がユーザ端末３Ａからデータ移行用の撮影画像データを受信すると、この撮影画像データを一意に識別するデータ移行用のパスワードを生成する。生成されたパスワードは、通信処理部２４により、ユーザ端末３Ａへ送信される。
【００５０】
第３記憶部２８は、ユーザ端末３Ａから受信した移行用の撮影画像データと、パスワード生成部２３が生成したパスワードとを対応付けて保存する。
【００５１】
画像検索部２５は、通信処理部２４がユーザ端末３から識別コードを受信すると、第１記憶部２６を検索し、この識別コードに対応する撮影画像データを取り出す。取り出された撮影画像データは、通信処理部２４により、ユーザ端末３へ送信される。
【００５２】
第１記憶部２６は、撮影画像データがユーザ端末３へ送信され、ユーザ端末３からの受信確認が得られた後、又は撮影画像データが保存されてから一定期間経過後に、保存している撮影画像データを消去する。
【００５３】
画像検索部２５は、通信処理部２４が印画物作製装置１から再プリント用コードを受信すると、第２記憶部２７を検索し、この再プリント用コードに対応する撮影画像データを取り出す。取り出された撮影画像データは、通信処理部２４により、印画物作製装置１へ送信される。
【００５４】
第２記憶部２７は、撮影画像データが印画物作製装置１へ送信され、印画物作製装置１からの受信確認が得られた後、又は印画物作製装置１での再プリント処理が完了した後、又は撮影画像データが保存されてから一定期間経過後に、保存している撮影画像データを消去する。
【００５５】
画像検索部２５は、通信処理部２４がユーザ端末３Ｂからデータ移行用のパスワードを受信すると、第３記憶部２８を検索し、このパスワードに対応する撮影画像データを取り出す。取り出された撮影画像データは、通信処理部２４により、ユーザ端末３Ｂへ送信される。
【００５６】
第３記憶部２８は、撮影画像データがユーザ端末３Ｂへ送信され、ユーザ端末３Ｂからの受信確認が得られた後、又は撮影画像データが保存されてから一定期間（例えば１週間）経過後に、保存している撮影画像データを消去する。
【００５７】
次に、本実施形態による印画物作製方法を、図７に示すシーケンス図を用いて説明する。この印画物作製方法は、撮影を行い、撮影画像データをユーザ端末３に保存するまでの撮影及びデータ保存処理と、ユーザ端末３に保存している撮影画像データをプリント出力する再プリント（焼き増し）処理とを有する。
【００５８】
利用者Ｐが、印画物作製装置１のタッチパネル１２を操作し、撮影及びデータ保存モードを選択すると、撮影装置１１が利用者Ｐを撮影し、撮影画像データを生成する（ステップＳ１０１）。
【００５９】
印画物作製装置１の通信部１５が、撮影画像データをサーバ２へ送信する（ステップＳ１０２）。
【００６０】
サーバ２が撮影画像データを受信すると、識別コード生成部２１が識別コードを生成する（ステップＳ１０３）。
【００６１】
サーバ２の通信処理部２４が、識別コードを印画物作製装置１へ送信する（ステップＳ１０４）。また、識別コードと撮影画像データとが対応付けてサーバ２の第１記憶部２６に保存される（ステップＳ１０５）。
【００６２】
印画物作製装置１は、サーバ２から受信した識別コードを二次元コードに変換し、撮影画像を証明写真の用途に応じたサイズに縮小し、プリント用画像を生成する。印画物作製装置１のプリンタ１３が、プリント用画像を印画紙にプリントして出力する（ステップＳ１０６）。これにより、利用者Ｐは図２に示すような印画物４を入手することができる。
【００６３】
利用者Ｐは、ユーザ端末３を操作して所定のアプリケーションプログラムを実行し、印画物４の二次元コード４２を読み取らせる。ユーザ端末３は、二次元コード４２から識別コードを取得し、サーバ２に通知する（ステップＳ１０７）。
【００６４】
サーバ２の通信処理部２４がユーザ端末３から識別コードを受信すると、画像検索部２５が第１記憶部２６を検索し、識別コードに対応する撮影画像データを取り出す（ステップＳ１０８）。通信処理部２４は、取り出された撮影画像データをユーザ端末３へ送信する（ステップＳ１０９）。
【００６５】
ユーザ端末３は、サーバ２から受信した撮影画像データを、自端末のメモリ等に保存する（ステップＳ１１０）。
【００６６】
サーバ２の第１記憶部２６は、ステップＳ１０９の撮影画像データ送信完了に伴い、又はステップＳ１０５のデータ保存処理から所定期間経過後に、この撮影画像データを消去する（ステップＳ１１１）。
【００６７】
利用者Ｐは、撮影画像の再プリント（焼き増し）を行う場合、ユーザ端末３を操作して所定のアプリケーションプログラムを実行し、自端末に保存されている撮影画像データをサーバ２へ送信する（ステップＳ２０１）。
【００６８】
サーバ２が撮影画像データを受信すると、再プリント用コード生成部２２が再プリント用コードを生成する（ステップＳ２０２）。
【００６９】
サーバ２の通信処理部２４が、再プリント用コードをユーザ端末３へ送信する（ステップＳ２０３）。また、再プリント用コードと撮影画像データとが対応付けてサーバ２の第２記憶部２７に保存される（ステップＳ２０４）。
【００７０】
ユーザ端末３は、サーバ２から通知された再プリント用コードを保存する（ステップＳ２０５）。
【００７１】
利用者Ｐが、印画物作製装置１のタッチパネル１２を操作し、再プリントモードを選択すると、タッチパネル１２に再プリント用コード入力画面が表示される。利用者Ｐは、ユーザ端末３の表示部に再プリント用コードを表示して確認し、タッチパネル１２を操作して再プリント用コードを入力する（ステップＳ２０６）。
【００７２】
印画物作製装置１の通信部１５が、入力された再プリント用コードをサーバ２へ送信する（ステップＳ２０７）。
【００７３】
サーバ２の画像検索部２５は、通信処理部２４が印画物作製装置１から再プリント用コードを受信すると、第２記憶部２７を検索し、この再プリント用コードに対応する撮影画像データを取り出す（ステップＳ２０８）。通信処理部２４は、取り出された撮影画像データを印画物作製装置１へ送信する（ステップＳ２０９）。
【００７４】
印画物作製装置１は、サーバ２から受信した撮影画像データを、証明写真の用途に応じたサイズに縮小し、プリント用画像を生成する。印画物作製装置１のプリンタ１３が、プリント用画像を印画紙にプリントして出力する（ステップＳ２１０）。これにより、利用者Ｐは、焼き増しした印画物を入手することができる。
【００７５】
サーバ２の第２記憶部２７は、ステップＳ２０９の撮影画像データ送信に伴い、又はステップＳ２１０の印画紙のプリント完了に伴い、又はステップＳ２０４のデータ保存処理から所定期間経過後に、この撮影画像データを消去する（ステップＳ２１１）。
【００７６】
本実施形態によれば、印画物作製装置１とユーザ端末３との間でのデータ転送は不要であり、印画物作製装置１とサーバ２との間、及びサーバ２とユーザ端末３との間で、安定した通信環境においてデータの送受信をスムーズに行うことができる。
【００７７】
また、撮影画像データの最終的な保存先を利用者が所有するユーザ端末３とするため、サーバ２でのデータ保存期間が短くてよく、サーバ２の容量増大を抑えると共に、管理コストを抑えることができる。
【００７８】
そのため、利用者の利便性を確保しつつ、コストを抑えながら、撮影画像の再プリントを行うことができる。
【００７９】
撮影及び（初回）プリントを行う印画物作製装置１（第１印画物作製装置）と、再プリントを行う印画物作製装置１（第２印画物作製装置）とは、同じであってもよいし、異なるものであってもよい。
【００８０】
画像処理部１０１は、撮影装置１１から撮影画像データを受け取ると、クロマキー処理を行い、撮影画像から人物画像を切り抜き、人物画像と、利用者Ｐが選択したテンプレート画像（背景画像）とを合成して、合成画像を作成してもよい。再プリント時には、背景画像を変更できるようにしてもよい。
【００８１】
次に、本実施形態によるデータ転送方法を、図８に示すシーケンス図を用いて説明する。このデータ転送方法は、図７のステップＳ１０１〜Ｓ１１０を実行して撮影画像データを保存したユーザ端末３Ａから、他のユーザ端末３Ｂへ撮影画像データを以降するものである。
【００８２】
利用者は、ユーザ端末３Ａを操作して所定のアプリケーションプログラムを実行し、データ移行処理を開始し、移行したい撮影画像データを選択する（ステップＳ３０１）。ユーザ端末３Ａは、選択された撮影画像データをサーバ２へ送信する（ステップＳ３０２）。
【００８３】
サーバ２は、ユーザ端末３Ａからデータ移行要求と共に撮影画像データを受信すると、パスワード生成部２３がデータ移行用のパスワードを生成する（ステップＳ３０３）。
【００８４】
サーバ２の通信処理部２４が、パスワードをユーザ端末３Ａへ送信する（ステップＳ３０４）。また、パスワードと撮影画像データとが対応付けてサーバ２の第３記憶部２８に保存される（ステップＳ３０５）。
【００８５】
利用者は、ユーザ端末３Ｂを操作して所定のアプリケーションプログラムを実行し、移行データの取得処理を開始する。ユーザ端末３Ｂのタッチパネルにパスワード入力画面が表示される。利用者は、ユーザ端末３Ａの表示部にパスワードを表示して確認し、ユーザ端末３Ｂにパスワードを入力する（ステップＳ３０６）。
【００８６】
なお、パスワードは手入力でもよいし、ユーザ端末３Ａの表示部に表示させた二次元コードをユーザ端末３Ｂのカメラで読み取って入力してもよい。
【００８７】
ユーザ端末３Ｂは、入力されたパスワードをサーバ２へ送信し、移行データを要求する（ステップＳ３０７）。
【００８８】
サーバ２の通信処理部２４がユーザ端末３Ｂからパスワードを受信すると、画像検索部２５が第３記憶部２８を検索し、パスワードに対応する撮影画像データを取り出す（ステップＳ３０８）。通信処理部２４は、取り出された撮影画像データをユーザ端末３Ｂへ送信する（ステップＳ３０９）。
【００８９】
ユーザ端末３Ｂは、サーバ２から受信した撮影画像データを、自端末のメモリ等に保存する（ステップＳ３１０）。
【００９０】
サーバ２の第３記憶部２８は、ステップＳ３０９の撮影画像データ送信完了に伴い、又はステップＳ３０５のデータ保存処理から所定期間経過後に、この撮影画像データを消去する（ステップＳ３１１）。
【００９１】
撮影画像データの移行元のユーザ端末３Ａと、移行先のユーザ端末３Ｂの所有者は同じであってもよいし、異なっていてもよい。所有者が同じである場合、例えば、古いユーザ端末３Ａから、新規購入した新しいユーザ端末３Ｂへ撮影画像データを移行できる。
【００９２】
所有者が異なる場合、例えば、家族の各々の端末３Ａに保存されている撮影画像データを、父親の端末３Ｂへ移行してデータを一括管理することができ、家族旅行に使用する証明写真の準備の手間を軽減できる。また、亡くなった家族の端末３Ａに保存されている撮影画像データを、生存している家族の端末３Ｂへ移行していくことで、過去に撮影した画像を永続的に引き継いでいくことができ、印画物作製装置１からの再プリントも容易である。
【００９３】
上記実施形態では、サーバ２の識別コード生成部２１で生成された識別コードが印画物作製装置１に通知される例について説明したが、印画物作製装置１が識別コードを生成してもよい。例えば、印画物作製装置１は、自機の号機番号、撮影日時等の情報を用いて識別コードを生成し、識別コード及び撮影画像データをサーバ２へ送信する。
【００９４】
上記実施形態において、印画物作製装置１は、撮影のみ行い、撮影画像のプリントは行わず、撮影画像データを取得するための識別コードを示す二次元コードのみを印画して出力するモードを有していてもよい。
【００９５】
サーバ２に撮影画像データを保存してから所定期間経過した場合、ユーザ端末３に、データが消去されることを通知するメッセージ（メール）を送信してもよい。また、ユーザ端末３からの指示に基づいて、所定期間経過前に、サーバ２に保存されているデータを消去するようにしてもよい。
【００９６】
印画物４に、サーバ２にアクセスするための位置情報（ＵＲＬ）を印画してもよい。また、識別コードを二次元コードでなく、英数字等の文字列として印画してもよい。利用者Ｐは、ＰＣ等を利用し、ＵＲＬを用いて画像ダウンロードサイトにアクセスし、識別コードをキーボードで入力し、撮影画像データをダウンロードしてもよい。
【００９７】
上記実施形態では、サーバ２のパスワード生成部２３でデータ移行用のパスワードを生成する例について説明したが、ユーザ端末３Ａから撮影画像データをアップロードする際に、利用者がパスワードを設定できるようにしてもよい。
【００９８】
ユーザ端末３Ａがデータ移行のためにサーバ２にアップロードした撮影画像データのダウンロード回数は、１回でもよいし、所定の複数回でもよいし、無制限としてもよい。複数回（又は無制限）とすることで、複数のユーザ端末へ撮影画像データを移行することができる。
【００９９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１００】
１  印画物作製装置
２  サーバ
３、３Ａ、３Ｂ  ユーザ端末
４  印画物
【図１】
2018196022.tif 000003
【図２】
2018196022.tif 000004
【図３】
2018196022.tif 000005
【図４】
2018196022.tif 000006
【図５】
2018196022.tif 000007
【図６】
2018196022.tif 000008
【図７】
2018196022.tif 000009
【図８】
2018196022.tif 000010